(57)【要約】【課題】  カートリッジ本体と遮光板との間の遮光機構を改善することで感光性記録媒体の曝光をより一層確実に防止できる感光性記録媒体用のカートリッジを提供する。【解決手段】  本発明のカートリッジ１０は、略板状に形成された第１シェル２５と、第１シェル２５に重ね合わされるように接合される第２シェル２６と、第１シェル２５と第２シェル２６とのうち少なくとも一方に設けられた開口２１，２２を開閉するシャッタ１５と、第１シェル２５と第２シェル２６とを組み合わせてなるカートリッジ本体１１の外側に取り付けられ、開口２１，２２に対面して感光性記録媒体を露呈させる外部開口３１，３３を有する遮光板３０とを備え、カートリッジ本体１１にディスク状の感光性記録媒体１４を回転自在に収容し、カートリッジ本体１１と遮光板３０との間に挿入部材３８，３９が設けられている。【選択図】図５
2007052873.tif 000002
【特許請求の範囲】
【請求項１】
略板状に形成された第１シェルと、前記第１シェルに重ね合わされるように接合される第２シェルと、前記第１シェルと前記第２シェルとのうち少なくとも一方に設けられた開口を開閉するシャッタと、前記第１シェルと前記第２シェルとを組み合わせてなるカートリッジ本体の外側に取り付けられ、前記開口に対面して前記感光性記録媒体を露呈させる外部開口を有する遮光板とを備え、前記カートリッジ本体にディスク状の感光性記録媒体を回転自在に収容するカートリッジであって、
前記カートリッジ本体と前記遮光板との間に挿入部材が設けられていることを特徴とする感光性記録媒体用カートリッジ。
【請求項２】
前記挿入部材が前記開口を避ける位置に形成されていることを特徴とする請求項１に記載の感光性記録媒体用カートリッジ。
【請求項３】
前記カートリッジ本体は、前記感光性記録媒体に対する内面と、前記シャッタに対する外面とに、表面粗さRa５：〜２０μｍのマット加工、またはシボ加工が施されていることを特徴とする請求項１又は２に記載の感光性記録媒体用カートリッジ。
【請求項４】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から３のいずれか１つに記載の感光性記録媒体用カートリッジ。
【請求項５】
前記第１シェル及び第２シェルと、シャッタは、その成形に用いられるプラスチックに遮光性物質が０．０１〜５．００重量％添加されていることを特徴とする請求項１から４のいずれか１つに記載の感光性記録媒体用カートリッジ。
【請求項６】
前記第１シェル及び第２シェルと、シャッタは、その成形に用いられるプラスチックにカーボンブラックが０．０１〜２．００重量％添加されていることを特徴とする請求項１から５のいずれか１つに記載の感光性記録媒体用カートリッジ。
【請求項７】
前記第１シェル及び第２シェルと、シャッタは、その成形に用いられるプラスチックにシリコーン系滑剤が０．１〜５．０重量％添加されていることを特徴とする請求項１から６のいずれか１つに記載の感光性記録媒体用カートリッジ。
【請求項８】
ホログラム記録媒体であることを特徴とする請求項１から７のいずれか１つに記載の感光性記録媒体用カートリッジ。
【発明の詳細な説明】
【技術分野】
【０００１】
本発明は、感光性記録媒体を収容する感光性録媒体用カートリッジに関し、特に、カートリッジ本体に設けられた開口を開閉するシャッタと、遮光板と、を備えた感光性記録媒体用カートリッジの遮光機構の改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、カートリッジ筐体とシャッタ板とカバーとから構成されたものが知られている（例えば、特許文献３参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３に記載の発明は、カートリッジ筐体の開口周囲とシャッタ板、およびシャッタ板とカバーの開口周囲との間にそれぞれオーバーラップを設け、これらの二重のオーバーラップにより外部からの塵埃の進入を防止している。
【０００６】
【特許文献１】特開２００４―０２９４７６号公報
【特許文献２】特開２００３―３１７４２２号公報
【特許文献３】特開２００３―３１７４２４号公報
【発明の開示】
【発明が解決しようとする課題】
【０００７】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光及び防塵構造に関する記載がない。
【０００８】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。また、特許文献２記載のカートリッジは、カートリッジカバーを備えておらず、シャッタが直接外部に露出しているので、シャッタが誤って開放してしまう場合や、大きな外力が作用した場合にシャッタが変形する場合には、外部から光が進入していまい、ホログラム記録媒体が感光して使用できなくなる可能性があった。
【０００９】
特許文献３に記載のカートリッジは、カートリッジカバーがカートリッジ筐体に形成された凹部に収容されて取り付けられており、シャッタの保護機能を有する。しかし、防塵構造に関しては記載されているものの、遮光構造についてはなんら記載されておらず、感光性記録媒体用カートリッジとしては、必ずしも十分な性能を有しない。
【００１０】
本発明は、上記事情に鑑みてなされたもので、その目的は、カートリッジ本体と遮光板との間の遮光機構を改善することで感光性記録媒体の曝光をより一層確実に防止できる感光性記録媒体用のカートリッジを提供することにある。
【課題を解決するための手段】
【００１１】
本発明の上記目的は、下記カートリッジによって達成される。
（１）  略略板状に形成された第１シェルと、前記第１シェルに重ね合わされるように接合される第２シェルと、前記第１シェルと前記第２シェルとのうち少なくとも一方に設けられた開口を開閉するシャッタと、前記第１シェルと前記第２シェルとを組み合わせてなるカートリッジ本体の外側に取り付けられ、前記開口に対面して前記感光性記録媒体を露呈させる外部開口を有する遮光板とを備え、前記カートリッジ本体にディスク状の感光性記録媒体を回転自在に収容するカートリッジであって、前記カートリッジ本体と前記遮光板との間に挿入部材が設けられていることを特徴とするカートリッジ。
【００１２】
本発明に係るカートリッジは、カートリッジ本体と遮光板との間に挿入部材が設けられており、カートリッジ本体と遮光板と同士を取り付ける部位に生じる僅かな隙間が挿入部材で詰められている。このため、カートリッジ本体と遮光板との間に隙間から外部の光が進入することを確実に防止することができる。
【００１３】
（２）  前記挿入部材が前記開口を避ける位置に形成されていることを特徴とする上記（１）に記載のカートリッジ。
【００１４】
上記構成の感光性記録媒体用カートリッジによれば、カートリッジ本体の前記第１シェル及び前記第２シェルの開口が、挿入部材によって遮蔽されることがない。
【００１５】
（３）上記カートリッジ本体は、感光性記録媒体に対する内面と、シャッタに対する外面とに、表面粗さRa５：〜２０μｍのマット加工、またはシボ加工が施されていることを特徴とする上記（１）又は（２）に記載の感光性記録媒体用カートリッジ。
【００１６】
こうすれば、カートリッジ内部や、カートリッジ本体とシャッタとの間に光が進入した場合でも、粗面によって光を拡散、減衰させることができるため、感光性記録媒体に対する影響を軽減させることができる。
【００１７】
（４）上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることを特徴とする上記（１）から（３）のいずれか１つに記載の感光性記録媒体用カートリッジ。
【００１８】
これにより、第１シェルと第２シェルとの溶接時に第１シェル及び第２シェルとその他の部品とが溶着してしまうのを防止することができる。
【００１９】
（５）上記カートリッジは、第１シェル及び第２シェルと、シャッタは、その成形に用いられるプラスチックに遮光性物質が０．０１〜５．００重量％添加されていることを特徴とする上記（１）から（４）のいずれか１つに記載の感光性記録媒体用カートリッジ。
【００２０】
（６）第１シェル及び第２シェルと、シャッタは、その成形に用いられるプラスチックにカーボンブラックを使用する場合は、カーボンブラックが０．０１〜２．００重量％添加されていることを特徴とする上記（１）から（５）のいずれか１つに記載の感光性記録媒体用カートリッジ。
【００２１】
上記（５）又は（６）の構成によれば、カートリッジ本体とシャッタとの光透過率を小さくすることができ、カートリッジの遮光性能を向上させることができる。
【００２２】
（７）上記カートリッジは、第１シェル及び第２シェルと、シャッタは、その成形に用いられるプラスチックにシリコーン系滑剤が０．１〜５．０重量％添加されていることを特徴とする上記（１）から（６）のいずれか１つに記載の感光性記録媒体用カートリッジ。
【００２３】
こうすれば、シャッタの動作が滑らかになるため、シャッタとカートリッジ本体との間の摩擦により削り屑等が発生するのを防止することができる。
【００２４】
（８）  前記感光性記録媒体は、ホログラム記録媒体であることを特徴とする上記（１）から（７）のいずれか１つに記載のカートリッジ。
【００２５】
上記構成の感光性記録媒体用カートリッジによれば、ホログラム記録媒体を感光させることなく、且つ清浄な状態でカートリッジ本体内に保持することができる。
【発明の効果】
【００２６】
本発明によれば、カートリッジ本体と遮光板との間の遮光機構を改善することで感光性記録媒体の曝光をより一層確実に防止できる感光性記録媒体用のカートリッジを提供することができる。
【発明を実施するための最良の形態】
【００２７】
以下、本発明の実施形態を図面に基づいて詳しく説明する。図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。
【００２８】
図１から図３に示すように、カートリッジ１０は、該カートリッジ１０を取り扱うホログラム記録装置等に対し、矢印Ｃ方向から装填される。カートリッジ１０の装填方向先端の両側面には、カートリッジ１０が図示しないホログラム記録装置等の各種機器に装填された際に、各機器に設けられた位置決め部材が挿入される位置決め溝１７,１８が設けられている。
【００２９】
記録ディスク１４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク１４の穴部に補強材を付加してもよい。カートリッジ１０は、記録ディスク１４の両面の記録面に記録を行なうために、Ａ面１２またはＢ面１３のいずれかを上にしてホログラム記録装置にセットされる。
【００３０】
カートリッジ１０は、内部にディスク収容部１６が形成されたカートリッジ本体１１と、このカートリッジ本体１１の外側を挟み込むようにして取り付けられる遮光板３０と、カートリッジ本体１１と遮光板３０との間に組み込まれるシャッタ１５とを備えている。遮光板３０の上下面には、第２の開口である略長方形の外部開口３１、３３が形成されている。これらの外部開口３１,３３は、シャッタ１５が閉じ位置にあるときに、該シャッタ１５によって閉じられた状態となる。
【００３１】
図３に示すように、シャッタ１５が矢印Ｄ方向の開き位置に向けて移動すると、外部開口３１,３３と、外部開口３１,３３に対面するようにカートリッジ本体１１に設けられている同形状の開口２１,２２とが開放される。これにより、ディスク収容部１６内に収容されている記録ディスク１４の中心部１４ａと、記録面１４ｂとが外部に露呈される。
【００３２】
シャッタ１５は、内蔵するシャッタバネによって閉じ位置に付勢され、かつロック機構によって閉じ位置でロックされている。ロック機構の解除は、位置決め溝１７内に突出されている第２のロック部材６４をカートリッジ本体１１内に押し込み、その状態でカートリッジ本体のＡ面１２及びＢ面１３の開口７３,７２から露呈されている第１のロック部材６３をカートリッジ装填方向の後端側にスライドさせる。このように、シャッタ１５は、２段階の操作を行なわなければ解除されないロック機構によって閉じ位置でロックされているため、シャッタ１５が不用意に開放されることはない。
【００３３】
図４は、カートリッジ１０の構成を示す分解斜視図である。
図４に示すように、カートリッジ本体１１は、略板状の第１シェル２５と、この第１シェル２５に接合される第２シェル２６と、第１シェル２５と第２シェル２６との間に組み込まれてシャッタ１５のロックを行なうロック機構２７とから構成されている。
【００３４】
第１シェル２５と第２シェル２６は、例えば、遮光性物質と滑剤とが添加された同一または類似の熱可塑性プラスチックを用いて、射出成形により形成されている。
【００３５】
図４に示すように、第１シェル２５及び第２シェル２６の外面には、遮光板３０の形状より僅かに大きく、且つ遮光板３０の厚み以上の深さの段差部を有し、内側にオフセットさせた遮光板取付面２５ａ,２６ａが形成されている。
【００３６】
遮光板３０の材質には、遮光性、耐食性、装飾性、加工性を得ることができ、かつ軽量で強度のあるものとして、例えばアルミニウム合金が用いられている。なお、遮光板３０はプラスチックで形成してもよいが、遮光性と、シャッタ１５の滑り性とを確保するために、遮光性物質と滑剤とが添加されたプラスチックを用いるとよい。
【００３７】
図４に示すように、遮光板３０は、アルミニウム合金の薄板に外部開口３１,３３と、シャッタ１５の移動範囲を得るための切欠３２とを形成し、断面が略コ字形状となるように屈曲させたものである。これにより、遮光板３０には、外部開口３１,３３をそれぞれ有する第１の板部３０ａ及び第２の板部３０ｂと、切欠３２を有し、第１の板部３０ａと第２の板部３０ｂとを連設させる第３の板部３０ｃとが設けられている。
【００３８】
遮光板３０は、第１の板部３０ａ及び第２の板部３０ｂでカートリッジ本体１１のＢ面１３及びＡ面１２とを挟み込み、かつ第３の板部３０ｃでカートリッジ本体１１の装填方向Ｃの先端を覆うようにして、カートリッジ本体１１の遮光板取付面２５ａ,２６ａに、後述する挿入部材３８，３９を介挿しつつ取り付けられる。遮光板取付面２５ａ,２６ａは、遮光板３０の厚み以上の深さで内側にオフセットされているので、カートリッジ本体１１に取り付けられた遮光板３０の外面は、カートリッジ本体１１の表面から突出することはない。
【００３９】
図４に示すように、遮光板３０の第１の板部３０ａ及び第２の板部３０ｂの外周には、略等間隔で小さな穴３５が形成されている。また、第１シェル２５及び第２シェル２６の遮光板取付面２５ａ,２６ａには、遮光板３０の穴３５に対応する位置に、遮光板３０の厚みよりも僅かに長いピン５０が一体に形成されている。
【００４０】
遮光板３０がカートリッジ本体１１の外側（遮光板取付面２５ａ,２６ａ）に取り付けられると、第１シェル２５及び第２シェル２６のピン５０が穴３５に挿入され、遮光板３０の表面から突出される。遮光板３０は、各ピン５０の先端が熱で潰されることによりカートリッジ本体１１に固着される。
【００４１】
なお、遮光板３０のカートリッジ本体１１への固着方法としては、これ以外に、接着剤や両面テープ、ねじ止め等を用いることができる。また、遮光板３０をプラスチックで形成した場合には、各種溶着を用いることもできる。
【００４２】
図４に示すように、シャッタ１５は、遮光性を有する薄板を略コ字形状となるように屈曲させたシャッタ部材５５であって、このシャッタ部材５５に取り付けられる細長い板状のスライド部材５６とからなる。シャッタ部材５５は、遮光板３０と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４３】
シャッタ部材５５は、第１シェル２５の外面と遮光板３０の第１の板部３０ａとの間に挿入される第１シャッタ１５ａと、第２シェル２６の外面と遮光板３０の第２の板部３０ｂとの間に挿入される第２シャッタ１５ｂと、これら第１シャッタ１５ａと第２シャッタ１５ｂとを連設するとともに、スライド部材５６が取り付けられる連設部１５ｃとを備えている。
【００４４】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１５はカートリッジ本体１１と遮光板３０との間をスムースに移動することができるため、移動による切屑等の発生を抑えることができる。なお、シャッタ摺動面２５ｂ,２６ｂは、入射した光を拡散するために、粗面にしてもよい。同様に遮光板３０の内面、及びシャッタ１５の内面及び外面も粗面にしてもよい。
【００４５】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部１５ｃの内面に取り付けられる取付面５６ａが設けられている。この取付面５６ａには、例えば２本のピン５６ｂが一体に形成されており、連設部１５ｃに設けられた二つの穴１５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４６】
スライド部材５６の上面端部には、シャッタ１５を開く際に操作される被操作部５６ｄが一体に形成されている。この被操作部５６ｄは、シャッタ部材５５に対し、スライド部材５６をシャッタの閉じ方向に伸ばすように設けたことにより、遮光板３０の第３の板部３０ｃに隠れることなく外部に露出されている。遮光板３０の第３の板部３０ｃの切欠３２は、シャッタ１５が開き位置に移動した際に、被操作部５６ｄとの干渉を避けるために設けられている（図３参照）。
【００４７】
シャッタ１５は、シャッタバネ５９により閉じ方向に付勢されている。シャッタバネ５９は、例えば、捩じりコイルバネからなり、その両端は、スライド部材５６と、第１シェル２５の内面とに係止されている。
【００４８】
ロック機構２７は、シャッタ１５を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００４９】
次に、本発明に係るカートリッジの要部の構成を説明する。図５は、シャッタを閉じた状態のカートリッジ本体において記録再生装置に挿入する方向に対して垂直な断面を示す断面図である。
図４，５に示すように、第１シェル２５と第２シェル２６のそれぞれの遮光板取付面２５a，２６ａには、その面方向視において略同一形状を有し、且つ、略コ字形状の挿入部材３８，３９が固着される。言い換えると、挿入部材３８，３９は、遮光板取付面２５a，２６ａの面方向視において、第１シェル２５及び第２シェル２６の開口２１，２２を避ける位置に形成されている。挿入部材３８，３９は、その一部がシャッタ摺動面２５ｂ,２６ｂに重なっていてもよい。
【００５０】
本実施形態において、挿入部材３８，３９としては、シート状に形成された部材であり、その材料としては遮光性を有するスポンジ状のクッション材料やジェル状又は液状の接着剤を用いることができる。このようなクッション材料としては、例えば、フェルト、不織布、ウレタン、スチレン、アクリル、ポリプロピレン、合成ゴム等を使用することができる。接着剤としては、例えば、エポキシ系、ウレタン系、エマルジョン系、合成ゴム系等を使用することができる。
【００５１】
挿入部材３８，３９の厚さは、第１シェル２５及び第２シェル２６の表面と遮光板取付面２５ａ，２６ａとの段差の寸法より小さく設計することが好ましく、具体的には、０．１ｍｍから１．０ｍｍとすることが好ましい。
【００５２】
なお、挿入部材３８，３９には、遮光板３０の第１の板部３０ａ及び第２の板部３０ｂの外周における穴３５の位置に対応するように、第１シェル２５及び第２シェル２６のピン５０を挿入させるための挿通穴が形成されていてもよい。
【００５３】
本発明に係るカートリッジ１０は、カートリッジ本体１１と遮光板３０との間に挿入部材３８，３９が設けられており、カートリッジ本体１１と遮光板３０と同士を取り付ける部位に生じる僅かな隙間が挿入部材で詰められている。このため、カートリッジ本体１１の側面に対して垂直に入射する光Ｌ１、カートリッジ本体１１の側面に対して斜めに入射する光Ｌ２、及び、遮光板３０の表面に対して垂直に入射する光Ｌ３のいずれの方向から入射する光についても、カートリッジ本体１１と遮光板３０との間に隙間から進入することを確実に防止することができる。
【００５４】
図６は、本発明に係るカートリッジの挿入部材の構成の変形例を示す図である。上記実施形態のカートリッジ１０においては、第１シェル２５，第２シェル２６とのそれぞれに挿入部材３８，３９を取り付けることで、一対の挿入部材３８，３９を有する構成としたが、図６に示すように、一体の挿入部材１４０をカートリッジ本体１１に取り付ける構成とすることができる。
【００５５】
図６に示す挿入部材１４０は、カートリッジ本体１１に取り付けた状態において、第１シェル２５及び第２シェル２６の遮光板取付面２５ａ，２６ａに配置される第１の挿入部１３８及び第２の挿入部１３９と、これら第１の挿入部１３８及び第２の挿入部１３９を互い連設させるとともに、カートリッジ本体１１の図１中矢印Ｃ側側面と遮光板３０の第３の板部３０ｃとの間に配置される連設部１４０ａとを備えている。また、第１の挿入部１３８及び第２の挿入部１３９には、第１シェル２５及び第２シェル２６の遮光板取付面２５ａ，２６ａの形状と略同一の縁部を除き、該縁部によって区画された開口部１３８ａ，１３９ａが形成されている。このため、挿入部材１４０をカートリッジ本体１１に取り付けた状態で、第１シェル２５及び第２シェル２６の開口２１，２２が開口部１３８ａ，１３９ａを介してカートリッジ本体１１の外方に露呈するため、挿入部材１４０によって遮蔽されてしまうことがない。
【００５６】
なお、上記第１シェル２５及び第２シェル２６を形成するプラスチックに添加する遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００５７】
上記滑剤として、例えば、シリコ一ン系滑剤を用いることができる。このシリコーン系滑剤の添加により摩擦低抗が低減するため、シャッタ１５の移動による削り屑の発生を少なくすることができる。また、輸送時の衝撃で記録ディスク１４とカートリッジ本体１１の内壁とが接触した場合の削り屑の発生も低減することができる。更に、機器への挿入性等の取り扱い性が向上する、また、流動性が向上するため、成形時の混練性、射出成形性等の加工性等も向上する。
【００５８】
なお、シリコーン系滑剤の添加量としては、０.１〜３.０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【実施例】
【００５９】
次に、本発明の実施例について説明する。
第１シェル及び第２シェルの成形に用いる熱可塑性プラスチックには、PC,PBT,ABS,POM,PS,PP,HDPE,PA,PET,PPS,SAN(スチレンーアクリロニトリル共重合)、PMMA,PC等を用いることができる。また、超音波溶着による誤溶着防止のために、第１シェル及び第２シェル以外の部品については、上記熱可塑性プラスチックの中から、第１シェル及び第２シェルに使用したものと異なるものを選択するとよい。
【００６０】
第１シェル及び第２シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
第１シェル及び第２シェルは、同一または類似の熱可塑性プラスチックで形成され、かつシャッタを含むその他の部品は、該第１シェル及び第２シェルと異なる材質で形成されていることが好ましい。第１シェルと第２シェルとの溶接時に第１シェル及び第２シェルとその他の部品とが溶着してしまうのを防止することができる。
【００６１】
（１）無機化合物
Ａ、酸化物…シリカ、ケイ藻土、アルミナ、酸化チタン、酸化鉄(鉄黒)、酸化亜鉛、酸化マグネシウム、酸化アンチモン、バリウムフェライト、ストロンチウムフェライト、酸化ベリリウム、軽石、軽石バルーン、アルミナ繊維等
Ｂ、水酸化物…水酸化アルミニウム、水酸化マグネシウム、塩基性炭酸マグネシウム等
Ｃ、炭酸塩…炭酸カルシウム、炭酸マグネシウム、ドロマイト、ド一ソナイト等
Ｄ、(亜)硫酸塩…硫酸カルシウム、硫酸バリウム、硫酸アンモニウム、亜硫酸カルシウム等
Ｅ、ケイ酸塩…タルク、クレー、マイカ、アスベスト、ガラス繊維、ガラスバルーン、ガラスビーズ、ケイ酸カルシウム、モンモリロナイト、ベントナイト等
Ｆ、炭素…カーボンブラック、グラファイト、炭素繊維、炭素中空球等
Ｇ、その他…鉄粉、銅粉、鉛粉、アルミウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
【００６２】
（２）有機化合物
木粉(松、樫、ノコギリクズなど)、穀繊維(アーモンド、ビーナッツ、モミ穀など)、木綿、ジュート、紙細片、非木材繊維(ワラ、ケナフ、竹、エスパルト、パガス、モロヘイヤ、煙火など)、セロハン片、ナイロン繊維、ポリプロピレン繊維、デンプン(変性デンプン、表面処理デンプンも含む)、芳香族ポリアミド繊維など
【００６３】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００６４】
遮光性物質としてカーボンブラックを使用する場合には、その添加量を０．０１〜２．００重量％とするのが好ましい。上述したように、遮光性及び物理強度のバランスがよいプラスチックを得るためである。
【００６５】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。
【００６６】
好ましいカーボンブラックの市販品の代表例としては、例えば、三菱化成製のカーボンブラック#20（ｂ）,#30（ｂ）,#33（ｂ）,#40（ｂ）,#41（ｂ）,#44（ｂ）,#45（ｂ）,#50,#100,#600,#950,#1000,#2200（ｂ）,#2400（ｂ）,MA8,MA11,MA100等が挙げられる。また、電気化学製のデンカブラック、東海カーボンのシースト、旭カーボンの旭#78、昭和キャボットのショウワブラック、新日鉄化学のニテロン、三菱化学のダイヤブラック等の各種グレードのものも用いることができる。
【００６７】
海外の製品としては、例えば、キャボット社のB1ack  Pear1s  2,46,70,71、74,80,81,607等、Rega1300,330,400,660,991,SRF-S等、Vulcan3,6等、Ster1ing10,SO,V,S,FT-FF,MT-FF等が挙げられる。さらにアシュランドケミカル社のUnitedR,BB,15,102,3001,3004,3006,3007,3008,3009,3011,3012,XC-3016,XC-3017,3020等が挙げることができるが、本発明は、これらに限定されるものではない。
【００６８】
また、第１シェル及び第２シェルとに添加する滑剤としては、シリコ一ン系滑剤、特に各種グレードのジメチルポリロキサンを使用することができ、東レ、ダウコーニング、シリコーン、GE東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【００６９】
カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
また、シェルに設ける粗面としては、表面粗さＲａ；５μｍ以下だと光拡散効果が薄く、２０μｍ以上だと記録ディスクとの接触時に傷を発生させるおそれがある。そのため、表面粗さＲａ；５〜２０μｍのマット加工、またはシボ加工が好ましい。
【００７０】
遮光板３０及びシャッタ部材５５に使用するアルミニウム合金としては、A1-Mg系合金が好ましく、例えば、JIS合金番号5052、5056等が好ましい。また、より強度を高める場合には、JIS合金番号5083、5086等がより好ましい。更に、強度を高める場合には、A1-Mg-Si系合金(例えば、JIS合金番号6063,6061)や、Al一Cu系合金(例えば、JIS合金番号2014、2017)、A1-Zn-Mg系合金(例えば、JIS合金番号7003、7N01、7075、7050)等を用いてもよい。軽量化、加工のしやすさから、遮光板３０及びシャッタ部材５５の厚みは１．０ｍｍ以下が好ましく、より好ましくは０．１５〜０．５ｍｍである。
【００７１】
また、遮光板３０及びシャッタ部材５５は、プラスチックで形成してもよい。使用するプラスチックとしては、例えばPOM等が適しており、上述した第１シェル等と同様に、遮光性物質や滑剤を添加するとよい。
【００７２】
シャッタバネやロックバネには、バネ定数、耐久性、加工性などの観点から、オーステナイト系バネ用ステンレス鋼の使用が好ましく、例えば、SUS300番台を用いることができる。また、好ましい線径としては、シャッタバネは０．２〜０．７ｍｍ、ロックバネには０．１５〜０．４ｍｍが好ましい。
【００７３】
また、第１シェル２５と第２シェル２６との固着に超音波溶着を用いたが、その他の溶着方法及び固着方法を用いてもよい。例えば、ネジなどで固着する場合には、ネジ穴の周囲にも遮光構造を形成するのが好ましい。また、第１シェル２５及び第２シェル２６を１部品で構成したが、複数の部品を組み合わせて形成してもよい。例えば、シャッタ収納部を境にして２部品で構成すれば、金型の簡易化を図ることができる。
【００７４】
なお、本発明は、前述した実施形態に限定されるものではなく、適宜な変形、改良などが可能である。
例えば、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００７５】
【図１】本発明を実施したカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【図５】シャッタを閉じた状態のカートリッジ本体において記録再生装置に挿入する方向に対して垂直な断面を示す断面図である。
【図６】カートリッジの挿入部材の構成の変形例を示す図である。
【符号の説明】
【００７６】
１０    カートリッジ（感光性記録媒体用カートリッジ）
１１    カートリッジ本体
１４    記録ディスク（感光性記録媒体、ホログラム記録媒体）
１５    シャッタ
２５    第１シェル
２６    第２シェル
３０    遮光板
３８，３９，１４０    挿入部材
【図１】
2007052873.tif 000003
【図２】
2007052873.tif 000004
【図３】
2007052873.tif 000005
【図４】
2007052873.tif 000006
【図５】
2007052873.tif 000007
【図６】
2007052873.tif 000008